(57)【要約】【課題】  従来のディスク装置におけるピックアップ送り機構では、ラックの係合部とラック固定部は、一体成形されており、チルト調整等を行なうと、ラックの係合部とリードスクリューの螺旋状の溝との噛合いが最適ではなくなっていた。そのため、ラックの係合部が偏摩耗したり、ラック歯飛びやリードスクリューへのラック乗り上げが頻繁に発生し、ラックの係合部が変形し、ドライブのリード性能の低下やドライブ寿命の短命が問題となっていた。【解決手段】  ラック部を、ピックアップに固定配置されるラック固定部と、一端には前記ラック固定部と回転自在に結合する結合部と、他端にはリードスクリューの螺旋状の溝に係合する係合部とを有するラックギア部とを有する、ツーピース構造とした。【選択図】  図２（ａ）
2005235263.tif 000002
【特許請求の範囲】
【請求項１】
少なくとも、２本のレールにより保持され、該レール上に摺動するピックアップと、
周面に螺旋状の溝を有し、駆動用モータにより駆動されて回転するリードスクリューと、前記ピックアップに取付けられ、前記リードスクリューの回転駆動を該ピックアップの摺動移動に変換、伝達するラック部とを有するピックアップ送り機構と、を備えたディスク装置において、
前記ラック部は、
前記ピックアップに固定配置されるラック固定部と、
一端には前記ラック固定部と回転自在に結合する結合部と、他端には前記リードスクリューの螺旋状の溝に係合する係合部とを有するラックギア部と、によって構成されている、
ことを特徴とするディスク装置。
【請求項２】
請求項１記載のディスク装置において、
前記ラックギア部の一端と他端との間には、
前記リードスクリューと平行な中空部を形成する２枚のバネにより形成されるヒンジ部を設けた、
ことを特徴とするディスク装置。
【請求項３】
請求項１記載のディスク装置において、
前記ラック部は、
前記ラック固定部と前記ラックギア部との間に、前記ラックギア部の係合部を前記リードスクリューの螺旋状の溝に押し付けて噛合させる弾性付勢手段を具備する、
ことを特徴とするディスク装置。
【請求項４】
請求項１記載のディスク装置において、
前記ラック部は、さらに、前記ラックギア部の回転可能な角度を制限する、回転抑制手段を具備する、
ことを特徴とするディスク装置。
【請求項５】
請求項４記載のディスク装置において、
前記回転抑制手段は、
前記ラック固定部に設けられたストッパーと、
前記ラックギア部に設けられたルーズホールと、からなる、
ことを特徴とするディスク装置。
【発明の詳細な説明】
【技術分野】
【０００１】
本発明は、ＣＤ、ＤＶＤ等の円盤状の記録媒体（以下、ディスクと呼ぶ）を用いた再生装置または記録再生装置のディスク装置に関し、特にディスク装置のピックアップの送り機構技術に関するものである。
【背景技術】
【０００２】
従来、ＣＤやＤＶＤプレーヤ、ＣＤ−ＲＯＭやＤＶＤ−ＲＯＭ等の再生装置、またはＣＤ−Ｒ／ＲＷやＤＶＤ−Ｒ／ＲＷ／ＲＡＭ等の記録再生装置のディスク装置におけるピックアップ送り装置は、リードスクリューを用いた方式が多く採用されており、ピックアップに取り付けられたラック部の係合部が、ディスクと平行で、且つ、そのディスクの径方向に沿って設けられたリードスクリューの周面の螺旋状の溝と噛合し、そのリードスクリューの回転によりラック部の係合部が軸方向へ移動されることによりピックアップを送るものである。
【０００３】
図３（ａ）は、上記従来のディスク装置のピックアップの送り機構図である。図４は、従来のラック構造の詳細図である。図３（ａ）において、ディスク装置は、ベース７に固定されるターンテーブル一体型スピンドルモータ８に載置されるディスク１０の半径方向へ移動自在にレール６、９に支持されるピックアップ１と、前記ピックアップ１を前記ディスク１０の半径方向へ駆動するための駆動用モータ２と、前記駆動用モータ２の回転駆動力を前記ピックアップ１の摺動移動に変換、伝達するためのリードスクリュー５と、ラック３とを有しており、前記ラック３は前記ピックアップ１に固定されている。
【０００４】
図３（ｃ）、図４に示されているのは、前記ラック３の係合部３−ａを、前記リードスクリュー５と平行な中空部３−ｃを形成する２枚の樹脂バネ３−ｂ、３−ｄにより形成される前記ラック３の樹脂ヒンジ部の自由端に設け、付勢バネ４により前記リードスクリュー５の螺旋状の溝に押し付けて噛合させ、前記リードスクリュー５を前記駆動用モータ２で回転させることにより、前記ピックアップ１を前記リードスクリュー５の軸方向に移動させるものであり、前記ピックアップ１を高速送りしたときでも高い剛性を確保し、前記ラック３の係合部３−ａと前記リードスクリュー５の螺旋状の溝が外れることがない（例えば、特許文献１参照。）。
【特許文献１】特開２０００−６７５３４号公報（第１−４頁、第１図）
【発明の開示】
【発明が解決しようとする課題】
【０００５】
しかしながら、上記のように構成された従来のディスク装置は、図３（ｂ）に示すように、６−ｒ、９−ｒを上下動させてチルト調整を行なうと、前記ベース７に固定される前記リードスクリュー５の螺旋状の溝と前記ラック３の係合部３−ａに、６−ｓを回転中心とした捩じれの変位が発生し、前記リードスクリュー５の螺旋状の溝と前記ラック３の係合部３−ａとの噛合い角度が最適ではなくなり、前記ラック３の係合部３−ａの偏摩耗、ラック歯飛び、短寿命、および前記ラック３の係合部３−ａの偏摩耗によるフォワード方向とリバース方向でのピックアップ送り精度のバラツキ等が発生する問題を抱えていた。
【０００６】
本発明は、上記のような従来の問題を鑑みてなされたものであり、ピックアップを高速送りするときでも高い剛性を確保し、且つ、リードスクリューの螺旋状の溝とラック部の係合部との噛合い角度を常に最適化して、該係合部の偏摩耗を防止し、ラック歯飛びを低減させ、ドライブの摺動ライフ試験等における上記係合部の摩耗レベルを最小限に抑えることにより、ドライブ寿命を延ばすことのできるピックアップ送り機構を備えたディスク装置を提供することを目的とするものである。
【課題を解決するための手段】
【０００７】
上記の課題を解決するために、本発明の請求項１に記載のディスク装置は、少なくとも、２本のレールにより保持され、該レール上に摺動するピックアップと、周面に螺旋状の溝を有し、駆動用モータにより駆動されて回転するリードスクリューと、前記ピックアップに取付けられ、前記リードスクリューの回転駆動を該ピックアップの摺動移動に変換、伝達するラック部とを有するピックアップ送り機構と、を備えたディスク装置において、前記ラック部は、前記ピックアップに固定配置されるラック固定部と、一端には前記ラック固定部と回転自在に結合する結合部と、他端には前記リードスクリューの螺旋状の溝に係合する係合部とを有するラックギア部と、によって構成されていることを特徴とするものである。
【０００８】
また、本発明の請求項２に記載のディスク装置は、請求項１記載のディスク装置において、前記ラックギア部の一端と他端との間には、前記リードスクリューと平行な中空部を形成する２枚のバネにより形成されるヒンジ部を設けたことを特徴とするものである。
【０００９】
本発明の請求項３に記載のディスク装置は、請求項１記載のディスク装置において、前記ラック部は、前記ラック固定部と前記ラックギア部との間に、前記ラックギア部の係合部を前記リードスクリューの螺旋状の溝に押し付けて噛合させる弾性付勢手段を具備するものである。
【００１０】
本発明の請求項４に記載のディスク装置は、請求項１記載のディスク装置において、前記ラック部は、さらに、前記ラックギア部の回転可能な角度を制限する回転抑制手段を具備するものである。
【００１１】
本発明の請求項５に記載のディスク装置は、請求項４記載のディスク装置において、前記回転抑制手段は、前記ラック固定部に設けられたストッパーと、前記ラックギア部に設けられたルーズホールと、からなることを特徴とするものである。
【発明の効果】
【００１２】
以上のように、本発明にかかるディスク装置によれば、ラック部構造をツーピース化し、ラックギア部を回動可能とすることにより、チルト調整を行なう場合など、リードスクリューとレールの設置角度差が発生しても、リードスクリューの溝とラックギア部の係合部の噛合いが常に最適化されるため、ラック歯飛びが低減し、ラックギア部の係合部の偏摩耗が緩和され、ドライブの摺動ライフ寿命を向上させることができる。
【００１３】
すなわち、本発明の請求項1にかかるディスク装置によれば、少なくとも、２本のレールにより保持され、該レール上に摺動するピックアップと、周面に螺旋状の溝を有し、駆動用モータにより駆動されて回転するリードスクリューと、前記ピックアップに取付けられ、前記リードスクリューの回転駆動を該ピックアップの摺動移動に変換、伝達するラック部とを有するピックアップ送り機構と、を備えたディスク装置において、前記ラック部は、前記ピックアップに固定配置されるラック固定部と、一端には前記ラック固定部と回転自在に結合する結合部と、他端には前記リードスクリューの螺旋状の溝に係合する係合部とを有するラックギア部と、によって構成されるようにしたので、チルト調整角度、またリードスクリュー取り付け角度に対応して、ラックギア部が回動することにより、チルト調整時に前記リードスクリューと前記レールに設置角度差が発生した場合でも、前記ラックギア部の係合部と前記リードスクリューの螺旋状の溝との噛合いは最適化される。その結果、前記ラックギア部の係合部と前記リードスクリューの螺旋状の溝の噛合い不良によるラック歯飛びの発生はなくなり、ドライブの摺動ライフ試験時の前記ラックギア部の係合部の偏摩耗は発生せず、ドライブ寿命を向上させることが可能となる。また、前記ラックギア部の係合部の偏摩耗が発生しなくなるために、前記ピックアップのフォワード方向とリバース方向での送り精度のバラツキを低減化させることも可能となる。
【００１４】
また、本発明の請求項２にかかるディスク装置によれば、請求項１記載のディスク装置において、前記ラックギア部の一端と他端との間には、前記リードスクリューと平行な中空部を形成する２枚のバネにより形成されるヒンジ部を設けるようにしたので、ピックアップを高速送りしたときでもリードスクリューの回転接線方向のモーメントに対して高い剛性を確保し、前記ラックギア部の係合部と前記リードスクリューの螺旋状の溝が外れることがないという効果がある。
【００１５】
本発明の請求項３にかかるディスク装置によれば、請求項１記載のディスク装置において、前記ラック部は、前記ラック固定部と前記ラックギア部との間に、前記ラックギア部の係合部を前記リードスクリューの螺旋状の溝に押し付けて噛合させる弾性付勢手段を具備するようにしたので、前記ラックギア部の係合部と前記リードスクリューの螺旋状の溝が外れることがないという効果がある。
【００１６】
本発明の請求項４にかかるディスク装置によれば、請求項１記載のディスク装置において、前記ラック部は、さらに、前記ラックギア部の回転可能な角度を制限する回転抑制手段を具備するようにしたので、ラックギア部の回転可能な範囲を制限して、ラックギア部の係合部とリードスクリューの溝との噛合い外れを防止することができるという効果がある。
【００１７】
本発明の請求項５にかかるディスク装置によれば、請求項４記載のディスク装置において、前記回転抑制手段は、前記ラック固定部に設けられたストッパーと、前記ラックギア部に設けられたルーズホールと、からなるものとしたので、ラックギア部の回転可能な範囲を制限して、ラックギア部の係合部とリードスクリューの溝との噛合い外れを防止することができるという効果がある。
【発明を実施するための最良の形態】
【００１８】
（実施の形態１）
以下、本発明の実施の形態１によるディスク装置について、図１から図２を用いて説明する。
【００１９】
図１（ａ）は、本実施の形態１に係るディスク装置の要部上面図、図１（ｂ）は、上記ディスク装置のピックアップ送り機構側面図、図１（ｃ）は、上記ピックアップ送り機構のラック部の詳細の断面図、図２は、ラック部構造の詳細図である。尚、各図において、図３に示す従来図と同じ機構構成要素は、同じ記号を付して説明する。
【００２０】
図１（ａ）において、ディスク装置は、ベース７に固定されるターンテーブル一体型スピンドルモータ８と、ピックアップ１と、ピックアップ１を駆動する駆動用モータ２と、ピックアップ１を保持するレール６、９と、前記駆動用モータ２の回転駆動力を前記ピックアップ１の摺動移動に変換、伝達するリードスクリュー５、及びラック部１４とが搭載されている。
【００２１】
図１（ｃ）において、ラック部１４は、ラック固定部１１と、ラックギア部１２と、付勢バネ４とを有し、さらに、ラックギア部１２の他端には係合部１２ａを設けられている。
【００２２】
前記レール６、９は、いずれも６ｒ、９ｒ部のチルト調整ビスを調整することによって、それぞれ６ｓ、９ｓを回転中心として図１（ｂ）に示す上下方向に角度調節可能となっている。前記リードスクリュー５は角度調整不可能なため、前記レール６、９のチルト調整を行なうと、前記リードスクリュー５とラックギア部１２の係合部１２ａの噛合い角度が変化する。その時、ラックギア部１２がラック固定部１１に対して回動可能なため、ラックギア部１２がリードスクリュー５の螺旋状の溝角度に最適に噛合う角度に回動し、ラックギア部１２の係合部１２ａとリードスクリュー５の螺旋状の溝とが最適な噛合い状態を保持する。また、ラックギア部１２は付勢バネ４により、常にリードスクリュー５方向へ付勢されている。
【００２３】
また、図２（ａ）、（ｂ）において示されたのは、前記ラックギア部１２の係合部１２ａを、前記リードスクリュー５と平行な中空部１２ｃを形成する２枚の樹脂バネ１２ｂ、１２ｄにより形成される前記ラックギア部１２の樹脂ヒンジ部１２ｅの自由端に設け、付勢バネ４により前記リードスクリュー５の螺旋状の溝に押し付けて噛合させ、前記リードスクリュー５を前記駆動用モータ２で回転させることにより、前記ピックアップ１を前記リードスクリュー５の軸方向に移動させるものであり、前記ピックアップ１を高速送りした時のリードスクリュー５の回転接線方向のモーメントに対して高い剛性を確保し、前記ラックギア部１２の係合部１２ａと前記リードスクリュー５の螺旋状の溝が外れることはない。
【００２４】
さらに、図２（ｃ）において、ラック固定部１１に、ラックギア部１２の回動できる回転角度を規制するストッパー１１ａを設けたことで、ラックギア部１２の動作範囲は図２（ｃ）に示す範囲に限定され、ラックギア部１２の過剰回転を防止し、ドライブに衝撃がかけられた時にラックギア部の係合部１２ａとリードスクリュー５の溝の噛合い外れを防止するという作用を有する。
【実施例１】
【００２５】
以下、本発明の実施例１によるディスク装置について、図面を参照しながら説明する。
図１は、本実施例１によるディスク装置の概略図である。
【００２６】
図１（ａ）において、１はピックアップ、２はピックアップ駆動用モータ、４は付勢バネ、５はリードスクリュー、６、９はピックアップ保持レール、６ｒ、９ｒはチルト調整位置、６ｓ、９ｓは支点、７はベース、８はターンテーブル一体型スピンドルモータ、１０はディスク、１４はラック部である。
【００２７】
図１（ｃ）において、１１はラック部１４のラック固定部、１２はラック部１４のラックギア部、１２ａはラックギア部１２の係合部である。
【００２８】
チルト調整等でレール６，９の調整点６−ｒ、９−ｒを上下させ、支点６−ｓ、９−ｓを回転中心としてピックアップ１を上下方向に調整した場合、ラックギア部１２はラック固定部１１に対して回動し、ラックギア部１２はその係合部１２ａがリードスクリュー５の溝に最適に噛合った状態を保持する。
【００２９】
図２はラック部構造の詳細図である。
図２（ａ）において、１２ａはラックギア部１２の係合部、１２ｂ、１２ｄは樹脂バネ、１２ｃは中空部、１２ｅは樹脂ヒンジ部、１２ｆは結合部、１３はねじである。
【００３０】
ラックギア部１２の一端は、結合部１２ｆを介して、ラック固定部１１に凸設されているねじ１３と回転自在に枢接されている。ラックギア部１２のヒンジ部１２ｅは、リードスクリュー５と平行な中空部１２ｃを形成する２枚の樹脂バネ１２ｂ、１２ｄにより形成されており、係合部１２ａは、ヒンジ部１２ｅの自由端側に設けられている。
【００３１】
図２（ｃ）において、１１はラック固定部、１１ａはストッパー、１２はラックギア部、１２ｇはルーズホール、１３はねじ、１２ｆは結合部である。
【００３２】
ラックギア部１２の回転可能な角度を規制するために、ラック固定部１１にはストッパー１１ａを、ラックギア部１２の自由端にはストッパー１１ａをゆるく保持するルーズホール１２ｇを備えて、ラックギア部１２の過剰回転を防止する。
【００３３】
このように、本実施の形態１によるディスク装置では、ピックアップの送り機構のラック部１４が、ねじ１３を凸設したラック固定部１１と、一端にはねじ１３と枢接する結合部１２ｆと、多端にはリードスクリュー５の螺旋状の溝に係合する係合部１２ａとを有するラックギア部１２とのツーピースから構成されるようにしたので、レール６、９のチルト調整をする際に、ラックギア部１２が枢接のねじ１３を中心として回動することにより、係合部１２ａとリードスクリュー５の溝の噛合いを常に最適に保つことができる。また、リードスクリュー５と平行な中空部を形成する２枚の樹脂バネよりなる樹脂ヒンジ部１２ｅを、ラックギア部１２の一端と他端との間に設けたので、ピックアップを高速送りするときでも、リードスクリュー５の回転接線方向のモーメントに対して高い剛性が確保され、前記ラックギア部１２の係合部１２ａと前記リードスクリュー５の螺旋状の溝とがはずれることはない。さらに、ラック固定部１１にラックギア部１２の回動回転角度を規制するストッパー１１ａ、ラックギア部１２の自由端にルーズホール１２ｇを設けるようにしたので、ラックギア部１２の回動範囲は限定され、ラックギア部１２の過剰回転を防止し、ドライブに衝撃がかけられた時にラックギア部の係合部１２ａとリードスクリュー５の溝の噛合い外れを防止することができる。
【産業上の利用可能性】
【００３４】
本発明に係るディスク装置は、装置のピックアップの送り機構に、ラック部構造をツーピース化し、ラックギア部を回動可能とする構成を用いることにより、リードスクリューの螺旋状の溝とラック部の係合部との噛合い角度を常に最適化し、該係合部の偏摩耗を防止し、ラック歯飛びを低減させ、ドライブの摺動ライフ寿命を延ばすことができる効果を有し、円盤状の記録媒体を記録再生する記録再生装置のディスク装置として有用である。
【図面の簡単な説明】
【００３５】
【図１（ａ）】本発明の実施の形態１によるディスク装置の要部の上面図である。
【図１（ｂ）】本発明の実施の形態１によるディスク装置のピックアップ送り機構の側面図である。
【図１（ｃ）】本発明の実施の形態１によるディスク装置のピックアップ送り機構のラック部の断面図である。
【図２（ａ）】本発明の実施の形態１によるディスク装置のラック部の詳細の上面図である。
【図２（ｂ）】本発明の実施の形態１によるディスク装置のラック部の断面図である。
【図２（ｃ）】本発明の実施の形態１によるディスク装置のラック部の正面図である。
【図３（ａ）】従来のディスク装置の要部の上面図である。
【図３（ｂ）】従来のディスク装置のピックアップ送り機構の側面図である。
【図３（ｃ）】従来のピックアップ送り機構のラック部の断面図である。
【図４（ａ）】従来のディスク装置のラック部の詳細の上面図である。
【図４（ｂ）】従来のディスク装置のラック部の断面図である。
【図４（ｃ）】従来のディスク装置のラック部の正面図である。
【符号の説明】
【００３６】
１  ピックアップ
２  駆動用モータ
３  従来ヒンジ式ラック
３ａ  係合部
３ｂ  樹脂バネ
３ｃ  中空部
３ｄ  樹脂バネ
３ｅ  樹脂ヒンジ部
３ｆ  樹脂ヒンジ部の自由端
４  付勢バネ
５  リードスクリュー
６  ピックアップ保持レール（主軸）
６ｒ  チルト調整位置（主軸）
６ｓ  支点（主軸）
７  ベース
８  ターンテーブル一体型スピンドルモータ
９  ピックアップ保持レール（副軸）
９ｒ  チルト調整位置（副軸）
９ｓ  支点（副軸）
１０  ディスク
１１  ラック固定部
１１ａ  ストッパー
１２  ラックギア部
１２ａ  係合部
１２ｂ  樹脂バネ
１２ｃ  中空部
１２ｄ  樹脂バネ
１２ｅ  樹脂ヒンジ部
１２ｆ  結合部
１２ｇ  ルーズホール
１３  ねじ
１４  ラック部
【図１（ａ）】
2005235263.tif 000003
【図１（ｂ）】
2005235263.tif 000004
【図１（ｃ）】
2005235263.tif 000005
【図２（ａ）】
2005235263.tif 000006
【図２（ｂ）】
2005235263.tif 000007
【図２（ｃ）】
2005235263.tif 000008
【図３（ａ）】
2005235263.tif 000009
【図３（ｂ）】
2005235263.tif 000010
【図３（ｃ）】
2005235263.tif 000011
【図４（ａ）】
2005235263.tif 000012
【図４（ｂ）】
2005235263.tif 000013
【図４（ｃ）】
2005235263.tif 000014